(57)【要約】【課題】使い勝手のよい携帯電話用充電器を提供する。【解決手段】対電話機電力端子と、対ＡＣアダプタ電力端子と、充電器内二次電池と、昇圧部と、過放電・過充電を制御する保護回路と、充電器内二次電池充電電流制御回路とを有し、前記携帯電話機と該充電器と前記ＡＣアダプタとを直列に接続した場合には、電話機内二次電池が満充電になってから、前記ＡＣアダプタによる前記充電器内二次電池の充電を開始する。充電器内二次電池の温度上昇・容器膨張をそれぞれ検出して動作を止める保護回路を設ける。【選択図】図２
2009278763.tif 000002
【特許請求の範囲】
【請求項１】
携帯電話機の電力端子に接続する対電話機電力端子を有し、該対電話機電力端子を介して前記携帯電話機に内蔵される電話機内二次電池を充電する充電器であって、
該充電器の内部には、
充電器内二次電池と、
該充電器内二次電池の放電に伴う電圧低下を補償する昇圧部
とを有し、前記電話機内二次電池を充電するに適した電圧まで昇圧して前記対電話機電力端子に電力を供給して充電を行う充電器。
【請求項２】
請求項１に記載した充電器であって、
前記携帯電話機に付属するＡＣアダプタが前記携帯電話機に電力を供給するためのＡＣアダプタ電力端子に接続する対ＡＣアダプタ電力端子と、
該対ＡＣアダプタ電力端子を介して前記ＡＣアダプタから供給される直流電流を前記充電器内二次電池に供給して該充電器内二次電池を充電するに際して、過放電・過充電を制御する保護回路をさらに有し、
前記携帯電話機に付属するＡＣアダプタにより前記充電器内二次電池を充電することとした充電器。
【請求項３】
請求項２に記載した充電器であって、
前記充電器内二次電池に対する充電電流を制御する充電器内二次電池充電電流制御回路をさらに有し、前記携帯電話機と該充電器と前記ＡＣアダプタとを直列に接続した場合、前記電話機内二次電池の前記ＡＣアダプタによる充電を優先し、前記電話機内二次電池が満充電となってから前記ＡＣアダプタによる前記充電器内二次電池の充電を開始することを特徴とする充電器。
【請求項４】
請求項１、２又は３のいずれか一に記載する充電器であって、前記充電器内二次電池の異常による温度上昇を検知して回路の動作を停止させる温度上昇検知保護回路をさらに有することを特徴とする充電器。
【請求項５】
請求項１、２又は３のいずれか一に記載する充電器であって、前記充電器内二次電池の異常による容器膨張を検知して回路の動作を停止させる容器膨張検知保護回路をさらに有することを特徴とする充電器。
【請求項６】
携帯電話機の電力端子に接続する対電話機電力端子と、前記携帯電話機に付属するＡＣアダプタが前記携帯電話機に電力を供給するためのＡＣアダプタ電力端子に接続する対ＡＣアダプタ電力端子と、充電器内二次電池と、該充電器内二次電池が前記携帯電話機に内蔵される電話機内二次電池を充電する際の放電に伴う電圧低下を補償する昇圧部と、該対ＡＣアダプタ電力端子を介して前記ＡＣアダプタから供給される直流電流を前記充電器内二次電池に供給して該充電器内二次電池を充電するに際して過放電・過充電を制御する保護回路と、前記充電器内二次電池に対する充電電流を制御する充電器内二次電池充電電流制御回路とを有する充電器を用いて、前記携帯電話機と該充電器と前記ＡＣアダプタとを直列に接続した場合の充電方法であって、
前記昇圧部の働きを止めることにより前記充電器内二次電池から前記電話機内二次電池への充電動作を止めるとともに、前記充電器内二次電池充電電流制御回路の働きにより前記ＡＣアダプタから前記充電器内二次電池への充電電流を止めて、前記ＡＣアダプタからの充電電流を前記携帯電話機側へ通過させて、前記電話機内二次電池の前記ＡＣアダプタによる充電を実行する電話機内二次電池充電ステップと、
該電話機内二次電池充電ステップにより、電話機内二次電池が満充電になったことを検出する電話機内二次電池満充電検出ステップと、
該電話機内二次電池満充電検出ステップにより、電話機内二次電池の満充電が検出されてから、前記ＡＣアダプタによる前記充電器内二次電池の充電を開始する充電器内二次電池充電ステップ
とからなる充電方法。
【発明の詳細な説明】
【技術分野】
【０００１】
本発明は、携帯電話機を充電する充電器及び充電方法に関する。
【背景技術】
【０００２】
わが国における携帯電話機の販売台数は９千万台を超え、現代生活の必需品となった。その機能は年々付加されて多機能化の一途をたどっており、メールの送受信、音楽プレイヤ、ゲームプレイヤ、テレビ放送の視聴、おサイフ携帯、動画ビデオ撮影など、とどまるところを知らない。
【０００３】
ところで、携帯電話機は、内蔵される二次電池で駆動している。そして、その使用可能時間をできるだけ長くとるため、エネルギ密度の高いリチウム電池が使われている。電話がかかってくるのを待つだけの待受け時間であれば、３００時間程度とれる。しかし、連続通話時間は２時間程度である。また、ゲームを楽しんだり、テレビ放送の視聴、メール作成、メール送受信に使用すると、その分だけ、通話可能時間は短くなる。
【０００４】
したがって、外出中に想定外の場所で電池の容量が低下し、通話ができなくなることがある。そうした場合には、充電器を所持していないことが多く、しばらくは連絡がとれなくなり、仕事に支障をきたす。また、充電器（交流電源を得て直流電力に変換するもの）を所持していた場合でも、電源コンセントからの電力供給を思うように得られずに、充電できない場合もある。そうなるとせっかく携帯電話機を持ち歩いても、その便利さが損なわれてしまう。
【０００５】
そうした事態に対処するため、一次電池（直流の電力の放電のみができる化学電池、使い捨て電池）と充電用回路とを組み合わせた携帯電話用緊急充電器がコンビニエンスストアや家電量販店で販売されてきた。
【０００６】
特許文献１には、過充電、過放電、放電過電流、または充電過電流を検出して、二次電池を保護することができる充放電保護回路及び該充放電保護回路を組み込んだバッテリーパックが開示されている。それぞれの検出回路を設けて、放電制御用ＦＥＴ（フィールドイフェクトトランジスタ、電界効果トランジスタ)、充電制御用ＦＥＴのオンオフを制御するようにしたものである。
【０００７】
特許文献２には、充電回路を内蔵しない安価な電池パックを充電対象としながらも、電気機器に装着された電池パックと、該電気機器に装着されない予備電池パックとの同時充電が可能な充電器が開示されている。携帯電話機に装着された電池パックを充電するための第一給電端子と、予備電池パック単体を充電するための第二給電端子と、予備電池パックの充電制御を行う充電回路とを有してなり、該充電回路への入力電圧の大きさに基づいて、予備電池パックの充電動作をオン／オフ制御するものである。
【特許文献１】特開２００２−１７６７３０号公報
【特許文献２】特開２００３−１６４０７０号公報
【発明の開示】
【発明が解決しようとする課題】
【０００８】
上述した一次電池と充電用回路とを組み合わせた携帯電話用充電器は、一次電池を用いているために大きく、かつ、重い。充電用回路の部分は再利用ができるにもかかわらず、一次電池が使い捨てであることから、充電用回路もまた電池と共に捨てられる可能性があり、地球環境に対して好ましくない。
【０００９】
特許文献１に開示される保護回路は、二次電池がなんらかの原因で膨張してしまうこと自体を検出することはできない。
【００１０】
特許文献２に開示する充電器は、一度の充電操作により、携帯電話機内部の二次電池と、予備電池とを双方とも充電することを可能にするものである。しかし、携帯電話機内部の容量不足となったときに、携帯電話機の裏蓋をあけて、電池交換をする必要がある。日常的に行う動作としては手間のかかる動作である。また、頻繁に電池交換をすることにより、裏蓋の開け閉めの頻度が増え、それにより、裏蓋のロックがあまくなり、落下による紛失などの事故にもつながる。
【００１１】
本発明は、使い勝手のよい携帯電話用充電器を提供することを目的とする。
【課題を解決するための手段】
【００１２】
本発明に係る充電器は、従来の緊急充電器が一次電池と昇圧回路とを組み合わせたものであったのに対して、一次電池に替えて二次電池を用いたものである。また、充電器内二次電池を充電するのには、前記携帯電話機に付属するＡＣアダプタ（充電器）を流用する。携帯電話機付属のＡＣ電源接続用のコネクタ、二次電池、二次電池充電用電源部（保護回路）、充電制御部、昇圧部（ＤＣ−ＤＣコンバータ）、携帯電話機接続用コネクタで構成される。
【００１３】
請求項１に記載した充電器は、携帯電話機の電力端子に接続する対電話機電力端子を有し、該対電話機電力端子を介して前記携帯電話機に内蔵される電話機内二次電池を充電する充電器であって、該充電器の内部には、充電器内二次電池と、該充電器内二次電池の放電に伴う電圧低下を補償する昇圧部とを有し、前記電話機内二次電池を充電するに適した電圧まで昇圧して前記対電話機電力端子に電力を供給して充電を行うものである。
【００１４】
請求項２に記載した充電器は、請求項１に記載した充電器であって、前記携帯電話機に付属するＡＣアダプタが前記携帯電話機に電力を供給するためのＡＣアダプタ電力端子に接続する対ＡＣアダプタ電力端子と、該対ＡＣアダプタ電力端子を介して前記ＡＣアダプタから供給される直流電流を前記充電器内二次電池に供給して該充電器内二次電池を充電するに際して、過放電・過充電を制御する保護回路をさらに有し、前記携帯電話機に付属するＡＣアダプタにより前記充電器内二次電池を充電することとしたものである。
【００１５】
請求項３に記載した充電器は、請求項２に記載した充電器であって、前記充電器内二次電池に対する充電電流を制御する充電器内二次電池充電電流制御回路をさらに有し、前記携帯電話機と該充電器と前記ＡＣアダプタとを直列に接続した場合、前記電話機内二次電池の前記ＡＣアダプタによる充電を優先し、前記電話機内二次電池が満充電となってから前記ＡＣアダプタによる前記充電器内二次電池の充電を開始する。
【００１６】
請求項４に記載した充電器は、請求項１、２又は３のいずれか一に記載する充電器であって、前記充電器内二次電池の異常による温度上昇を検知して回路の動作を停止させる温度上昇検知保護回路をさらに有する。
【００１７】
請求項５に記載した充電器は、請求項１、２又は３のいずれか一に記載する充電器であって、前記充電器内二次電池の異常による容器膨張を検知して回路の動作を停止させる容器膨張検知保護回路をさらに有する。
【００１８】
請求項６に記載した充電方法は、携帯電話機の電力端子に接続する対電話機電力端子と、前記携帯電話機に付属するＡＣアダプタが前記携帯電話機に電力を供給するためのＡＣアダプタ電力端子に接続する対ＡＣアダプタ電力端子と、充電器内二次電池と、該充電器内二次電池が前記携帯電話機に内蔵される電話機内二次電池を充電する際の放電に伴う電圧低下を補償する昇圧部と、該対ＡＣアダプタ電力端子を介して前記ＡＣアダプタから供給される直流電流を前記充電器内二次電池に供給して該充電器内二次電池を充電するに際して過放電・過充電を制御する保護回路と、前記充電器内二次電池に対する充電電流を制御する充電器内二次電池充電電流制御回路とを有する充電器を用いて、前記携帯電話機と該充電器と前記ＡＣアダプタとを直列に接続した場合の充電方法であって、前記昇圧部の働きを止めることにより前記充電器内二次電池から前記電話機内二次電池への充電動作を止めるとともに、前記充電器内二次電池充電電流制御回路の働きにより前記ＡＣアダプタから前記充電器内二次電池への充電電流を止めて、前記ＡＣアダプタからの充電電流を前記携帯電話機側へ通過させて、前記電話機内二次電池の前記ＡＣアダプタによる充電を実行する電話機内二次電池充電ステップと、該電話機内二次電池充電ステップにより、電話機内二次電池が満充電になったことを検出する電話機内二次電池満充電検出ステップと、該電話機内二次電池満充電検出ステップにより、電話機内二次電池の満充電が検出されてから、前記ＡＣアダプタによる前記充電器内二次電池の充電を開始する充電器内二次電池充電ステップとからなる。
【発明の効果】
【００１９】
本発明は、以上により構成されているから、携帯電話機付属のＡＣアダプタが使える場所であれば、携帯電話機−本発明に係る充電器−ＡＣアダプタと直列に接続することで、電話機内二次電池と充電器内二次電池との充電をまとめて行いながら、携帯電話を使用することができ、便利である。とりわけ、充電器内二次電池への充電電流を制御する回路を設けることにより、電話機内二次電池の充電と、充電器内二次電池の充電との切替を使用者が意識することなく、適切な充電が可能となる。
【００２０】
過電流制御、内部温度上昇保護、充電器内二次電池の異常保護（不具合発生時の膨張を検知し破裂をとめる）の多重保護回路により安全に使用できる。
【発明を実施するための最良の形態】
【００２１】
以下、図面を参照しつつ、本発明を実施するための最良の形態を説明する。
【００２２】
図１は、本発明に係る充電器２０を携帯電話機１０とそのＡＣアダプタ３０との中間に位置せしめた状態を示す模式図である。ＡＣアダプタ３０は、携帯電話機１０の購入時に付属するＡＣアダプタであり、家庭用の交流電源から電力を得て、それを直流に変換して、携帯電話機１０の内部にある電話機内二次電池１１（図示は省略）を充電する。このとき、電話機内二次電池１１の内部には、特に過放電・過充電などから電話機内二次電池１１を保護する保護回路は設けられていない。携帯電話機１０の内部に、充電電流を制御する回路、過放電・過充電から保護する保護回路が設けられている。
【００２３】
日本国内の携帯電話機にあっては、携帯電話機１０とＡＣアダプタ３０との間を接続するコネクタは、１０ピン又は１８ピンのものが採用されている。以下、本明細書にあっては、携帯電話機側のＡＣアダプタに接続するための端子を対ＡＣアダプタ電力端子１４と呼び、ＡＣアダプタ側の携帯電話機に接続するための端子を対電話機電力端子３２と呼ぶ。本発明に係る充電器の携帯電話機に接続する側には、対電話機電力端子２２を設けてあり、ＡＣアダプタに接続する側には、対ＡＣアダプタ電力端子２４が設けてある。これにより、携帯電話機１０、充電器２０、ＡＣアダプタ３０とは、図１に示すように、直列に接続され得る。
【００２４】
図１に示すような、三つの機器を直列に接続して使う場合だけではなく、本発明に係る充電器２０を携帯電話機１０にだけ接続して、充電器内二次電池２１により電話機内二次電池１１を充電することもできる。また、本発明に係る充電器２０をＡＣアダプタ３０にだけ接続して交流電源を用いて充電器内二次電池２１（後述する図５、図６では、ＢＡＴＴ＋、ＢＡＴＴ−に接続される二次電池）を充電することもできる。
【００２５】
図２は、本発明に係る充電器のブロック図である。充電器内二次電池２１から放電される電流は昇圧部２３により昇圧されて対電話機電力端子２２を介して電話機１０に供給され、電話機内二次電池１１を充電する。昇圧部２３は、後述する図５、図６の回路でいうと制御素子Ｑ７，Ｑ８，Ｑ１１、コイルＬ１、コンデンサＣ４，Ｃ５、抵抗Ｒ１１，Ｒ１２、ダイオードＤ３，集積回路Ｕ２により構成される部分である。
【００２６】
ＡＣアダプタ３０から対ＡＣアダプタ電力端子２４を介して供給される充電電流は、温度上昇検知保護回路２７、充電器内二次電池充電電流制御回路２６を介して充電器内二次電池２１に至り、それを充電する。また、充電器内二次電池２１の充電に関しては、容器膨張検知保護回路２８及び制御部２９も関与して、必要な場合には、その充電動作を停止する。ここで、温度上昇検知保護回路２７は、ポリスイッチと呼ばれるものであり、温度の上昇により抵抗値が極めて大きくなり、それにより電流の流れを止めるものである。
また、容器膨張検知保護回路２８は、ここでは押しボタンスイッチを採用しており、充電器内二次電池２１が膨張することを機械的に検知し、その情報を制御部２９に伝達することにより、充電動作を停止する。過充電・過放電を回路により検出した場合も、充電動作を停止する。充電器内二次電池充電電流制御回路２６は、後述する図５、図６の回路にある制御素子Ｑ１及びダイオードＤ２を含む回路である。制御部２９は、後述する図５、図６の回路にある集積回路Ｕ１により構成される回路である。
【００２７】
ＡＣアダプタ３０と携帯電話機１０との双方をこの充電器２０に接続している場合の動作は複雑である。おおまかにいうと、はじめに、ＡＣアダプタ３０からの充電電流をまずは通過させて、携帯電話機１０にそのまま引渡し、電話機内二次電池１１を充電する。電話機内二次電池１１の満充電を検知したら、充電器内二次電池の充電動作に入る、という処理である。詳しくは、図５又は図６の詳しい回路図を参照しつつ、後述する。
【００２８】
図３は、本発明に係る充電器の内部構造を示す断面模式図である。充電器内二次電池２１は、本来直方体に近い形状と考えられるが、なんらかの原因によりその容器が膨張する場合には、中央部が膨らんで楕円体に近づくと考えて図３においては楕円形状でその断面を示してある。充電器内二次電池２１が万一膨張した場合に、それを検知できるように、機械的な押しボタンスイッチを容器膨張検知保護回路２８として回路基板４０上に設ける。支柱４１は、充電器内二次電池２１を支えるものである。
【００２９】
図４は、本発明に係る充電器の外観を示す斜視図である。本発明に係る充電器には、充電完了時や保護回路動作時には、状態に応じた色で点灯するＬＥＤ及び、本発明の本体に備えているボタンＳＷ２を押すことで白色ＬＥＤが点灯し、簡単な照明として利用することもできる機能も付属している。図４の白色ＬＥＤ点灯スイッチ４２は、充電器２０の外側に設けられて、使用者が暗いところで明かりが欲しい際に押すと、白色ＬＥＤ４３が点灯するものである。対電話機電力端子２２及び対ＡＣアダプタ電力端子２４は、携帯電話機１０及びＡＣアダプタ３０と接続する際にバランスのよい位置に設けられる。
【００３０】
図５は、コネクタが１０ピンの場合についての充電器の回路図である。図６は、コネクタが１８ピンの場合についての充電器の回路図である。以下、図５及び図６を参照しつつ、本発明に係る充電器の動作について説明する。
【００３１】
［本発明に係る充電器の充電器内二次電池に対する充電動作（携帯電話機は接続しない）］
携帯電話機１０に付属しているＡＣアダプタ３０を本発明に係る充電器２０の対ＡＣアダプタ電力端子２４に接続することで充電器内二次電池２１への充電動作が開始される。ＡＣアダプタ３０から供給された電源は、本発明に係る充電器２０の充電器内二次電池充電電流制御回路２６内の制御素子Ｑ１及びダイオードＤ２を通じて充電器内二次電池２１に供給されそれを充電する。
【００３２】
制御部Ｕ１は、ＶＤＤ−ＶＳＳ間の電圧を監視し充電器内二次電池２１に対する充電電圧、放電電圧を監視し、充電制御用端子ＣＯに接続される制御素子Ｑ９及び放電制御用端子ＤＯに接続される制御素子Ｑ１０をコントロールし、過充電、過放電にならないよう制御する。通常状態では、Ｑ９  Ｑ１０ともに導通状態となっている。過充電または過放電の状況によりそれぞれの制御素子がオフ状態となり回路が遮断される。
さらに電流制御用端子ＶＭに接続された抵抗Ｒ９に発生する電圧を元に充電電流を制御し過電流であることを検出すると放電制御素子Ｑ１０をオフにすることで過電流にならないよう制御する。
【００３３】
また、保護装置として電源部には温度で電気抵抗が大きく増加する保護スイッチＰＬ１（図２における温度上昇検知保護回路２７）が設けられ、充電器内二次電池や回路の異常等で本発明の充電器の筐体内部温度が上昇した場合、充電器内二次電池が回路から切断される構成となっている。
温度が低下すると保護スイッチＰＬ１の電気抵抗が小さくなり、自動的に通電される。
【００３４】
また、押しボタンスイッチで構成される保護スイッチＳＷ１（図２における容器膨張保護回路２８）が回路基板４０と充電器内二次電池２１とに挟まれるように設置されている。万が一、何らかの理由で充電器内二次電池２１が異常状態となって容器が膨張した場合、保護スイッチＳＷ１が充電器内二次電池の膨張を物理的に検知し（体積膨張により二次電池の容器の外側が機械的に押しボタンを押すことを検知し）、充電器内二次電池２１への電源供給を止め、電池の爆発等を事前に保護する。
【００３５】
［本発明に係る充電器から携帯電話機の電話機内二次電池への充電動作］
外出先等でＡＣアダプタ３０が使えない場合、携帯電話機１０を充電するには本発明に係る充電器２０と携帯電話機１０とを接続する。
充電器内二次電池２１から昇圧部２３のコイルＬ１へ電源が供給され、携帯電話機１０に内蔵されている電話機内二次電池１１を充電するに適した電圧まで昇圧し、充電を行う。
【００３６】
本発明に係る充電器２０をその対電話機電力端子２２と携帯電話機１０側の対ＡＣアダプタ電力端子１４とをつなぐことにより携帯電話機１０に接続すると、携帯電話機１０の所定のピン（１０ピンコネクタの場合は図５の右側コネクタの５ピン、１８ピンコネクタの場合は図６右側コネクタの１６ピン）をプラス側とし、そこから携帯電話機１０自体に内蔵されている充電回路に電源が供給され、マイナス側となる１ピンとの間に電流が流れる。
このとき、抵抗Ｒ１１、制御素子Ｑ１１を介して抵抗Ｒ１２に電流が供給されるため抵抗Ｒ１２で発生した電圧で昇圧部２３の集積回路Ｕ１のＯＮ−ＯＦＦ端子がＯＮに設定され昇圧部２３が動作を開始する。
昇圧部２３には、専用の電圧、電流の制御回路が設けられており、これにより安全に携帯電話機１０への充電を行うことができる。昇圧部の役割は充電器内二次電池２１の放電に伴う電圧低下を補償し、携帯電話機に安定した電圧を供給することである。
【００３７】
［携帯電話機と本発明に係る充電器とＡＣアダプタとを直列に接続した場合］
この場合、携帯電話機１０に対する充電は、ＡＣアダプタ３０から本発明に係る充電器２０を通過して直接行われる。
具体的には対ＡＣアダプタ電力端子２４の所定のピン（１０ピンコネクタの場合は図５の左側コネクタの５ピン、１８ピンコネクタの場合は図６左側コネクタの１６ピン）より供給された電源は、ダイオードＤ１を通じ対電話機電力端子２２の対応するピン（１０ピンコネクタの場合は図５右側のコネクタの５ピン、１８ピンコネクタの場合は図６右側のコネクタの１６ピン）を介して携帯電話機１０へ供給される。
【００３８】
このとき、携帯電話用充電器を介して供給される電圧を制御素子Ｑ７が検知し、昇圧部のＯＮ−ＯＦＦ端子を制御し昇圧部の動作を停止させる。また、携帯電話機の電話機内二次電池１１が充電されている間、ダイオードＤ４がマイナス側につながるため制御素子Ｑ１がオフとなり本発明に係る充電器２０の充電器内二次電池２１に対する充電用電源供給も停止する。
【００３９】
携帯電話機１０の電話機内二次電池１１に対する充電は携帯電話機１０に内蔵されている充電回路により行われる。電話機内二次電池１１が満充電になると携帯電話に内蔵されている充電回路が遮断される。
その結果、図５右側のコネクタ５ピンと１ピントの間（図６右側のコネクタ１６ピンと１ピンとの間）の電流が停止し、ダイオードＤ４がマイナス側から遮断され制御素子Ｑ１がオンとなり、本発明の充電器２０の充電器内二次電池２１に対する充電ができる状態となる。
【００４０】
制御部２９（集積回路Ｕ１を含む回路）により本発明の充電器２０の充電器内二次電池２１への充電が必要に応じ開始される。
充電器内二次電池２１も満充電となると制御部２９の充電制御素子Ｑ９をオフさせ充電動作が停止される。
【００４１】
仮に何らの制御も行われないと、電話機内二次電池１１が充電される時でも、充電器内二次電池２１に対する充電も同時に開始され、電話機内二次電池１１と充電器内二次電池２１との２個の二次電池それぞれの使用状態により、充電動作が異なりどちらに優先充電されるか不定となる可能性がある。また、電流も制限一杯まで流れる場合がある。
そこでＡＣアダプタ３０の許容電流を考慮し、本発明に係る充電器２０の充電器内二次電池２１に対する充電電流は、前記の動作のとおり携帯電話に内蔵されている２次電池が優先されている場合、前述のように制御素子Ｑ１をオフするとともにＱ１と並列に接続されている抵抗Ｒ６を通じ通常の電流値より微小な電流値（１０ｍＡ程度）に制御し充電させることでＡＣアダプタ３０に対し過負荷となることを防いでいる。
【産業上の利用可能性】
【００４２】
携帯電話機と同様に内部に二次電池を内蔵しており、ＡＣアダプタを接続することで内部の二次電池を充電することとしている電子機器一般に対して応用することができる。
【図面の簡単な説明】
【００４３】
【図１】本発明に係る充電器を携帯電話機とそのＡＣアダプタとの中間に位置せしめた状態を示す模式図である。
【図２】本発明に係る充電器のブロック図である。
【図３】本発明に係る充電器の内部構造を示す断面模式図である。
【図４】本発明に係る充電器の外観を示す斜視図である。
【図５】コネクタが１０ピンの場合についての充電器の回路図である。
【図６】コネクタが１８ピンの場合についての充電器の回路図である。
【符号の説明】
【００４４】
１０  携帯電話機
１１  電話機内二次電池
１４，２４  対ＡＣアダプタ電力端子
２０  充電器
２１  充電器内二次電池
２２，３２  対電話機電力端子
２３  昇圧部
２５  保護回路
２６  充電器内二次電池充電電流制御回路
２７  温度上昇検知保護回路
２８  容器膨張検知保護回路
２９  制御部
３０  ＡＣアダプタ
４０  回路基板
４１  支柱
４２  白色ＬＥＤ点灯スイッチ
４３  状態表示及び簡易照明ＬＥＤ
Ｃ１，Ｃ２，Ｃ３，Ｃ４，Ｃ５  コンデンサ
Ｄ１，Ｄ２，Ｄ３，Ｄ４，Ｄ５，Ｄ６  ダイオード
Ｌ１  コイル
ＬＥＤ１，ＬＥＤ２  
ＰＬ１  ポリスイッチ
Ｑ１，Ｑ３，Ｑ４，Ｑ５，Ｑ７，Ｑ８，Ｑ９，Ｑ１０，Ｑ１１  制御素子
Ｒ１，Ｒ２，Ｒ３，Ｒ４，Ｒ６，Ｒ８，Ｒ９，Ｒ１０，Ｒ１１，Ｒ１２  抵抗
ＳＷ  押しボタンスイッチ
Ｕ１，Ｕ２  集積回路
【図１】
2009278763.tif 000003
【図２】
2009278763.tif 000004
【図３】
2009278763.tif 000005
【図４】
2009278763.tif 000006
【図５】
2009278763.tif 000007
【図６】
2009278763.tif 000008